(57)【特許請求の範囲】
【請求項１】
保護対象物を覆うネットと、
一本の長尺のピエゾケーブルセンサが無張力でネットに取り付けられる振動センサと、
振動センサから感知信号が送信される検知器と、
電力供給されるように電気的に接続されており、感知信号を受信した検知器から送信される開始信号に応じて威嚇のための出力を行う出力装置と、
を備えることを特徴とするセキュリティネット。
【請求項２】
請求項１に記載のセキュリティネットにおいて、
前記振動センサは、一本の長尺のピエゾケーブルセンサを螺旋状に配置したことを特徴とするセキュリティネット。
【請求項３】
請求項１に記載のセキュリティネットにおいて、
前記振動センサは、一本の長尺のピエゾケーブルセンサを幾重にも折り曲げたつづら折り状に配置したことを特徴とするセキュリティネット。
【請求項４】
請求項１〜請求項３の何れか一項に記載のセキュリティネットにおいて、
前記ネットの移動を防止する固定部を備えることを特徴とするセキュリティネット。
【請求項５】
請求項４に記載のセキュリティネットにおいて、
前記固定部は、ネットの周縁部を地面に固定するための埋設具を含むことを特徴とするセキュリティネット。
【請求項６】
請求項４または請求項５に記載のセキュリティネットにおいて、
前記固定部は、ネットの移動を防止するためにネット上に載せられる錘を含むことを特徴とするセキュリティネット。
【請求項７】
請求項１〜請求項６の何れか一項に記載のセキュリティネットにおいて、
前記出力装置は、回転灯および／または照明装置を含むことを特徴とするセキュリティネット。
【請求項８】
請求項１〜請求項７の何れか一項に記載のセキュリティネットにおいて、
前記検知器は、遠隔地の監視装置へ振動感知の有無について通信することを特徴とするセキュリティネット。
【請求項９】
請求項１〜請求項８の何れか一項に記載のセキュリティネットにおいて、
前記振動センサは、ネットの色とは異なる色を有することを特徴とするセキュリティネット。
【請求項１０】
請求項１〜請求項９の何れか一項に記載のセキュリティネットにおいて、
前記ネットは、セキュリティネットであること、および／または、警戒状態であることを表示する表示部を備えることを特徴とするセキュリティネット。
【発明の詳細な説明】
【技術分野】
【０００１】
本発明は、振動の有無により異常を検知するセキュリティネットに関する。
【背景技術】
【０００２】
昨今、金属材料価格の高騰や材料不足の背景を受け、工事現場その他箇所での銅、鉄、アルミニウムなどの金属材料の盗難が相次ぎ、社会的な問題になっている。盗難対象となっているのは建築材料である銅材や鋼板などであったり、電材である銅線やアルミより線などである。特に銅やアルミニウムは高騰しており、これら資材に盗難など発生すれば、相当額の損失が発生することとなる。
【０００３】
そこで、資材を覆うように配置されて、資材の異常を検知するようになされたネットが提案されている。例えば、特許文献１（特開２００１−３２５６７１号公報，発明の名称「侵入、盗難防止用網」）に記載の従来技術では、非電導性の撚り線材を縦横方向に編成してなる網の縦横方向の少なくとも何れか一方の撚り線材にそれぞれ電導性の通線を組み込み、これら通線に微弱電流を流すような侵入、盗難防止用網とした。このような侵入、盗難防止用網は、店舗や建築現場、建築資材置場などに部外者が侵入したり、これらの場所から商品、資材、荷物などを盗難しようとして網を切断した場合には、それを直ぐに検知して、警報を鳴らしたり、警備会社などに通報することができる。
【０００４】
【特許文献１】特開２００１−３２５６７１号公報（図１）
【発明の開示】
【発明が解決しようとする課題】
【０００５】
しかしながら、従来技術では商品、資材、荷物などを盗難しようとして網を切断した場合には異常が検知されるが、切断することなく網を移動させたような場合には異常が検知されないものであった。
【０００６】
また、通常の網に電導性の通線を編み込むというように、専用の盗難防止用網を製造するものであり、製造コスト増大要因となっていた。加えて、感知のために微弱な電流を常時流す構造であるため、週単位・月単位で換算すると消費電力も少なくなく、経費増大要因となっていた。
【０００７】
そこで、本発明は、上述の課題を解決するためになされたものであり、防犯効果を高めつつ、かつ犯罪が起きた場合に異常を高感度で感知するようなセキュリティネットを提供することにある。
【課題を解決するための手段】
【０００８】
本発明の請求項１に係るセキュリティネットは、
保護対象物を覆うネットと、
一本の長尺のピエゾケーブルセンサが無張力でネットに取り付けられる振動センサと、
振動センサから感知信号が送信される検知器と、
電力供給されるように電気的に接続されており、感知信号を受信した検知器から送信される開始信号に応じて威嚇のための出力を行う出力装置と、
を備えることを特徴とする。
【０００９】
また、本発明の請求項２に係るセキュリティネットは、
請求項１に記載のセキュリティネットにおいて、
前記振動センサは、一本の長尺のピエゾケーブルセンサを螺旋状に配置したことを特徴とする。
【００１０】
また、本発明の請求項３に係るセキュリティネットは、
請求項１に記載のセキュリティネットにおいて、
前記振動センサは、一本の長尺のピエゾケーブルセンサを幾重にも折り曲げたつづら折り状に配置したことを特徴とする。
【００１１】
また、本発明の請求項４に係るセキュリティネットは、
請求項１〜請求項３の何れか一項に記載のセキュリティネットにおいて、
前記ネットの移動を防止する固定部を備えることを特徴とする。
【００１２】
また、本発明の請求項５に係るセキュリティネットは、
請求項４に記載のセキュリティネットにおいて、
前記固定部は、ネットの周縁部を地面に固定するための埋設具を含むことを特徴とする。
【００１３】
また、本発明の請求項６に係るセキュリティネットは、
請求項４または請求項５に記載のセキュリティネットにおいて、
前記固定部は、ネットの移動を防止するためにネット上に載せられる錘を含むことを特徴とする。
【００１４】
また、本発明の請求項７に係るセキュリティネットは、
請求項１〜請求項６の何れか一項に記載のセキュリティネットにおいて、
前記出力装置は、回転灯および／または照明装置を含むことを特徴とする。
【００１５】
また、本発明の請求項８に係るセキュリティネットは、
請求項１〜請求項７の何れか一項に記載のセキュリティネットにおいて、
前記検知器は、遠隔地の監視装置へ振動感知の有無について通信することを特徴とする。
【００１６】
また、本発明の請求項９に係るセキュリティネットは、
請求項１〜請求項８の何れか一項に記載のセキュリティネットにおいて、
前記振動センサは、ネットの色とは異なる色を有することを特徴とする。
【００１７】
また、本発明の請求項１０に係るセキュリティネットは、
請求項１〜請求項９の何れか一項に記載のセキュリティネットにおいて、
前記ネットは、セキュリティネットであること、および／または、警戒状態であることを表示する表示部を備えることを特徴とする。
【発明の効果】
【００１８】
本発明によれば、防犯効果を高めつつ、かつ犯罪が起きた場合に異常を高感度で検出するようなセキュリティネットを提供することができる。
【発明を実施するための最良の形態】
【００１９】
本発明のセキュリティネットを実施するための最良の形態について図に基づき説明する。図１は本形態のセキュリティネットの概略図である。図２はネットにおける振動センサの配置を説明する説明図である。
セキュリティネット１００は、図１で示すように、ネット１０、固定部２０、振動センサ３０、検知器４０、ケーブル５０、出力装置６０を備える。さらに、ケーブル７０を介して管理ＰＣ８０と通信可能に接続されている。
【００２０】
ネット１０は、柔軟性のある化学繊維などを編んで製網した市販品の一般的な網であり、保護対象物を十分に覆う大きさである。ネット１０が保護対象物の表面を覆うように被せられると、その柔軟性のためネット１０が保護対象物の形状に応じて変形する。さらに図１でも示すようにネット１０の周縁部は地面に届いて拡がるようになれている。
【００２１】
固定部２０は、ネット１０の移動を防止するために設けられるものであり、例えば、ネット周縁部を地面に固定するための埋設具や、ネット１０の移動を防止するためネット１０の上（保護対象物の上側のネット１０の上や地面の上側のネット１０の上）に載置される錘、などである。このような埋設具の具体例は、例えば、金属製のペグや木製の杭などである。さらに錘の具体例は、例えば、大きな石、コンクリートブロック、レンガなどである。
【００２２】
振動センサ３０は、ネット１０に取り付けられている。振動センサ３０は、固定部２０に抗して無理矢理ネット１０が持ち上げられて保護対象物が露出したたときや、ネット１０が切断されたときなどに受ける振動を感知して、感知信号を送信するものである。
この振動センサ３０は、詳しくは、図２で示すように、一本の長尺のピエゾケーブルセンサを螺旋状に配置したものである。このように多数箇所で偏りなく振動が感知できるようにしたためネット１０の移動による振動を確実に感知できる。なお、図示しないがネット１０の周縁部付近（ネット１０の四辺付近）を通過するようにピエゾケーブルセンサを配置するようにすれば、窃盗犯が持ち上げるときに振動センサ３０を握ったり、振動センサ３０高速に移動したりして、振動センサ３０が振動を感知する確率が高まり、振動をより確実に感知できる。
【００２３】
検知器４０は、振動センサと通信するように電気的に接続され、振動センサ３０からの感知信号を受信して、後述するような各種の監視処理を行う。
ケーブル５０は、検知器４０と通信可能に接続される。
【００２４】
出力装置６０は、図示しない電源ケーブルを通じて電力供給されるように電気的に接続されている。また、出力装置６０は、ケーブル５０とも通信可能に接続されている。検知器４０が振動センサ３０からの感知信号を受信したとき、検知器４０はケーブル５０を介して出力装置６０へ開始信号を送信する。出力装置６０は開始信号を受信して威嚇のための出力を開始することとなる。
この出力装置６０は、例えば、回転灯であったり、ネット１０の周囲に明かりを照らす照明装置である。また、回転灯と照明装置とを共に備える装置としても良い。さらにまた、図示しないが、音声出力装置を含めるようにしても良い。
【００２５】
ケーブル７０は、検知器４０と通信可能に接続される。
監視用パーソナルコンピュータ（以下、監視ＰＣ）８０は、遠隔地に設置される監視装置の一具体例であり、ケーブル７０と通信可能に接続されている。この監視ＰＣ８０は、ケーブル７０を介して検知器４０から振動感知の有無について通信されるようになされている。
【００２６】
続いて、セキュリティネット１００の動作について説明する。
ネット１０は、保護対象物を確実に覆い、さらにネット１０の周縁部を埋設具や錘などの固定部２０により地面に固定する。また、保護対象物の上側で錘などの固定部２０を載せてネット１０が動きにくいようにする。このようなネット１０が窃盗犯により無理に動かされたときに、固定部２０がネット１０の移動を妨げ、なおも窃盗犯がネット１０を引っ張って固定部２０の埋設具を引き抜いたり、錘を振り払いながら窃盗犯がネット１０を保護対象物から引き払うとき、ネット１０の振動センサ３０には確実に加速度が加わることとなる。このような振動センサ３０は印加された振動の加速度に応じて振幅が大きくなるようなアナログ電圧信号を出力する。ピエゾケーブルセンサならば圧電効果により印加された振動の加速度に応じたアナログ電圧信号である。ピエゾケーブルセンサは検知のための電力が不要であるため電力消費量の節約に寄与する。
【００２７】
検知器４０は、アナログ電圧信号を受信したときに、ネット１０に振動が起きたと判定する。判定処理は内蔵する演算処理装置（図示せず）が判断する。
続いて、検知器４０は、ケーブル５０を介して出力装置６０へ開始信号を送信する。開始信号は、例えば、通常の接点出力である。開始信号を受信した出力装置６０は窃盗犯を威嚇するための出力を行う。例えば、出力装置６０の回転灯が作動して強弱に変化する光を照射して威嚇を行ったり、または、出力装置６０の照明装置が強い光を照射して威嚇を行ったりすることで、窃盗犯を退散させることとなる。
【００２８】
さらに、検知器４０は、ケーブル７０を通じて振動感知の有無を通知する通知信号を監視ＰＣ８０に送信し、監視ＰＣ８０が各種警報処理を行う。ここでこの通知信号も、接点出力のような簡単な信号とすることで、通信処理の簡素化を実現できる。監視ＰＣ８０により高度な警報処理（例えば、感知履歴ログを自動的に保存したり、さらにはセキュリティネット１００を使用して資材を管理している管理者の携帯電話に自動的にメールを送信するなど）を行わせるようにしてセキュリティネット１０のセキュリティ能力を高めても良い。
なお、簡易な機能にとどめるようにしても良く、図１で示したセキュリティネット１００の構成からケーブル７０や監視ＰＣ８０を除去するような構成を採用しても良い。
【００２９】
以上本形態のセキュリティネット１００について説明した。このようなセキュリティネット１００では各種の変形形態が可能である。例えば、セキュリティネット１００における振動センサ３０を他の構造に代えるものである。この点について図を参照しつつ説明する。図３はネットにおける振動センサの配置を説明する説明図である。
この振動センサ３０は、一本の長尺のピエゾケーブルセンサを幾重にも折り曲げてつづら折り状に構成配置したものである。このように多数箇所で偏りなく振動が感知できるようにしたためネット１０の移動による振動を確実に感知できる、というものである。このような構成の振動センサ３０を図１で示すセキュリティネット１００に組み込んだ構成を採用しても良い。
【００３０】
また、他の形態として、図１を用いて説明した上記の形態に加えて、さらに振動センサ３０の色を、ネット１０の色と異なるようにしても良い。これは敢えてネット１０に振動センサ３０が取り付けられていることを窃盗犯に知らしめて、犯行をあきらめさせるようにして、犯行を未然に防ぐものである。このようにしても防犯上有効である。
【００３１】
同様の主旨で、ネット１０は、セキュリティネットであることを表示する表示部を備えるようにしても良い。例えばネット１０に直接「セキュリティネット」と印刷して表したり、または、ネット１０に直接「警戒状態」と印刷して表したりすることで、窃盗犯に警戒がなされていることを知らせて、犯行をあきらめさせるようにして、犯行を未然に防ぐものである。
【００３２】
さらには、ネット１０に直接「セキュリティネット」および「警戒状態」と印刷して表しても良い。また、ネット１０ではなく、プラスチック板体、木製板、布や紙に対して、印刷や塗装などにより「セキュリティネット」と表したり、「警戒状態」と表したり、または、「セキュリティネット」と「警戒状態」と表したりしても良い。何れも敢えてセキュリティネットにより警戒状態にあることを窃盗犯に知らしめて、犯行をあきらめさせるようにして、犯行を未然に防ぐ効果がある。
【００３３】
また、他の形態として、ネット１０を構成する線の一部に、市販により容易に入手可能な針金・ピアノ線などの鋼線を加えて、ネット１０を切断しにくいようにし、無理に切断しようとして生じる振動を確実に感知できるようにしても良い。このように構成することで防犯効果を高めつつ、感知能力を高めるようにしても良い。
あるいは、夜間に運搬車両や工具等を持ち込み、はなから、ネット１０を破壊して強引な盗難を目的とする窃盗団等に対し、図示しないが、センサライト付カメラ、赤外線カメラその他の画像入力装置をネット１０近傍に焦点を合わせて備え、ネット１０からの振動感知をトリガーとして検知器４０がこの画像入力装置を稼働させ、その画像データを後日窃盗団等特定のための犯罪捜査の用に供するようにしても良い。
【００３４】
以上説明した本発明のセキュリティネットによれば、これまで監視できなかった建設資材等のセキュリティを向上させるものであり、ネットに触ったり、ネットを除こうとしたり、または、ネットを切断しようとする場合に振動を感知し、盗難防止により建設現場や資材置き場における資材のセキュリティが図られ、資材資産保護が実現される。また、安価な構成であるため経費削減も実現される。また、保護対象物にネットを被せて固定するだけでよいため、簡易に取り付けることができる。特に毎日ネットを被せたり除いたりする必要がある建設現場や資材置き場では、簡単操作・簡単敷設であって作業が極めて容易であることが好ましい。このように、防犯効果を高めつつ、かつ犯罪が起きた場合に異常を高感度で検出するようなセキュリティネットを提供することができる。
【図面の簡単な説明】
【００３５】
【図１】本発明を実施するための最良の形態のセキュリティネットの概略図である。
【図２】ネットにおける振動センサの配置を説明する説明図である。
【図３】ネットにおける他の振動センサの配置を説明する説明図である。
【符号の説明】
【００３６】
１００：セキュリティネット
１０：ネット
２０：固定部
３０：振動センサ
４０：検知器
５０：ケーブル
６０：出力装置
７０：ケーブル
８０：監視ＰＣ
【図１】
0004964094.tif 000002
【図２】
0004964094.tif 000003
【図３】
0004964094.tif 000004